(57)【要約】      （修正有）【課題】指回し運動を力を入れず、リラックスした状態で行える器具を提供する。【解決手段】指回し運動補助器として、筐体１０と、回転面を外周に有する回転部２０であって、前記回転面の中心軸回りに回動可能に、前記回転面が筐体１０に保持される回転部２０と、前記中心軸に平行に回転部２０に固定される筒体３０であって、少なくとも前記中心軸に沿ったの一方側に開口を有する筒体からなる第一指挿入筒３０と、第一指挿入筒３０の前記中心軸を挟んだ反対側において、前記中心軸に平行に回転部２０に固定される筒体３０であって、少なくとも前記回転軸に沿った他方側に開口を有する第二指挿入筒３０と、回転部２０を回転させる筐体１０に設けられる回転駆動手段４０とにより構成する。【選択図】図２
2013017677.tif 000002
【特許請求の範囲】
【請求項１】
筐体と、
回転面を外周に有する回転部であって、前記回転面の中心軸回りに回動可能に、前記回転面が前記筐体に保持される回転部と、
前記中心軸に平行に前記回転部に固定される筒体であって、少なくとも前記中心軸に沿った一方側に開口を有する筒体からなる第一指挿入筒と、
前記第一指挿入筒の前記中心軸を挟んだ反対側において、前記中心軸に平行に前記回転部に固定される筒体であって、少なくとも前記中心軸に沿った他方側に開口を有する第二指挿入筒と、
前記回転部を回転させる前記筐体に設けられる回転駆動手段と
を有する指回し運動補助器。
【請求項２】
前記回転駆動手段は回転制御可能なモーターにより駆動されるものであって、さらに、前記回転部が予め定められた回転数と回転方向に回転するように、前記モーターをプログラム制御する制御手段を有する請求項１に記載の指回し運動補助器。
【請求項３】
前記第一指挿入筒及び前記第二挿入筒は長手方向に沿った回転軸周りに回動可能に前記回転部に固定される請求項１又は２に記載の指回し運動補助器。
【請求項４】
前記第一指挿入筒と前記第二指挿入筒のそれぞれに左右の親指以外のいずれかの指を挿入した状態において、左右の手のそれぞれに対して、親指と挿入していない親指以外の指とで把持できる把手が前記筐体に設けられる請求項１から３のいずれか１項に記載の指回し運動補助器。
【請求項５】
前記回転駆動手段は回転制御可能なモーターにより駆動されるものであって、さらに、前記モーターの正転及び反転を切り替える切り替えスイッチが前記筐体に設けられる請求項１から４のいずれか１項に記載の指回し運動補助器。
【請求項６】
前記回転駆動手段は回転制御可能なモーターにより駆動されるものであって、さらに、前記モーター出力軸の回転速度を変更する速度調節スイッチが前記筐体に設けられる請求項１から５のいずれか１項に記載の指回し運動補助器。
【発明の詳細な説明】
【技術分野】
【０００１】
本発明は、左右の手の相対する指と指を向かい合わせて、互いにずれた位置で回転させる指回し運動を補助する器具に関する。
【背景技術】
【０００２】
指回し運動は、一般には左右の手の指を互いにつき合わせて接触させ、この内の一組の指同士を離して、互いに接触しないように回転させる運動として知られている。この指回し運動の回転させる指が互いに接触しないように補助する器具として、下記特許文献１や特許文献２の図２、図３に、円筒が並列して配列された器具が示されている。これらの穴に左右の回転する指を入れて回転させると、器具によって互いの指が接触することなく、楽に指回し運動を行うことができる。
【先行技術文献】
【特許文献】
【０００３】
【特許文献１】特許第３３９２２７７号公報
【特許文献２】実開７−３１０３６号公報
【発明の概要】
【発明が解決しようとする課題】
【０００４】
ところで、指回し運動は自発的に筋肉を用いて指を回転させることで、脳を刺激し運動系や自律神経系を改善する効果が期待されるといわれているが、自発的に筋肉を使って回転させるためにリラックスして運動をすることは難しい。本願の発明者は、受動的に指を回してもらい、指の力を抜いたリラックスした状態で指を回転させることによって新たな効果が得られるのではないかと着想したが、このような指の力を抜いた指回し運動は、補助者に回してもらうことも難しく、上記発明を用いても実現は困難である。
本発明は、このような事情に鑑みて、指回し運動を力を入れず、リラックスした状態で行える器具を提供することを課題とする。
【課題を解決するための手段】
【０００５】
上記課題を解決するために、本発明は次のような構成を有する。
請求項１に記載の発明は、筐体と、回転面を外周に有する回転部であって、前記回転面の中心軸回りに回動可能に、前記回転面が前記筐体に保持される回転部と、前記中心軸に平行に前記回転部に固定される筒体であって、少なくとも前記中心軸に沿ったの一方側に開口を有する筒体からなる第一指挿入筒と、前記第一指挿入筒の前記中心軸を挟んだ反対側において、前記中心軸に平行に前記回転部に固定される筒体であって、少なくとも前記回転軸に沿った他方側に開口を有する第二指挿入筒と、前記回転部を回転させる前記筐体に設けられる回転駆動手段とを有する指回し運動補助器である。
請求項２に記載の発明は、前記指回し運動補助器において、前記回転駆動手段は回転制御可能なモーターにより駆動されるものであって、さらに、前記回転部が予め定められた回転数と回転方向に回転するように、前記モーターをプログラム制御する制御手段を有するものである。
請求項３に記載の発明は、前記指回し運動補助器において、前記第一指挿入筒及び前記第二指挿入筒は長手方向に沿った回転軸周りに回動可能に前記回転部に固定されるものである。
【０００６】
請求項４に記載の発明は、前記指回し運動補助器において、前記第一指挿入筒と前記第二指挿入筒のそれぞれに左右の親指以外のいずれかの指を挿入した状態において、左右の手のそれぞれに対して、親指と挿入していない親指以外の指とで把持できる把手が前記筐体に設けられるものである。
請求項５に記載の発明は、前記指回し運動補助器において、前記回転駆動手段は回転制御可能なモーターにより駆動されるものであって、さらに、前記モーターの正転及び反転を切り替える切り替えスイッチが前記筐体に設けられるものである。
請求項６に記載の発明は、前記指回し補助器において、前記回転駆動手段は回転制御可能なモーターにより駆動されるものであって、さらに、前記モーター出力軸の回転速度を変更する速度調節スイッチが前記筐体に設けられるものである。なお、モーターの回転制御は電気的にモーターの回転を制御するほか、変速機により回転数を制御する場合が含まれる。
【発明の効果】
【０００７】
以上のような構成により、本発明は次のような効果を奏する。
請求項１に記載の発明は、第一指挿入筒に一方の手の一の指を入れ、第二挿入筒に他方の手の相対する指を入れ、回転部を回転させることで互いの指をずれた状態で自動的に回転させることができるので、指に力を入れることなくリラックスした状態での指回し運動が可能となる。
請求項２に記載の発明は、指の回転が予め定められたプログラムによりなされるので、指を回す回数や方向を決めている場合、自ら数える場合に比較して、精神的な面でもリラックスした状態で指回し運動を行うことができる。
請求項３に記載の発明は、第一挿入筒、第二挿入筒が回動可能に固定されることで、指を入れた状態で回転部を回しても第一挿入筒、第二挿入筒は同じ姿勢を保つので第一挿入筒内壁及び第二挿入筒内壁に挿入した指が擦れて気になるといったことがない。
請求項４に記載の発明は、親指と回転させる指以外の指で持つことができる把手を有することで、回転させていない指の位置を安定させることができる。
請求項５に記載の発明は、回転部の回転方向を変えることができるので、使用者は適宜思い通りに指の回転方向を変えることが可能となる。
請求項６に記載の発明は、回転部の回転速度を変えることができるので、使用者は好みの回転速度で、指を回転させることができる。
【図面の簡単な説明】
【０００８】
【図１】実施形態に係る指回し運動補助器の斜視図である。
【図２】図１のＡ−Ａ線断面図である。
【図３】図２のＢ−Ｂ線断面図である。
【図４】実施形態に係る指回し運動補助器の使用状態を示す側面図である。
【発明を実施するための形態】
【０００９】
以下、本発明の実施の形態について図を用いて説明する。
図１に本実施形態に係る指回し運動補助器Ｘの斜視図を示し、図２に図１のＡ−Ａ線断面図を示し、図３に図２のＢ−Ｂ線断面図を示す。指回し運動補助器Ｘは、筐体１０、回転部２０、指挿入筒３０、回転駆動部４０、制御部５０とから構成される。
【００１０】
筐体１０は、プラスチックの成型品であり、横長直方体状の箱体中央から上方に上側がアーチ状になった縦長の箱体が突出するような形状を有し、上方の箱体には円形の穴１１、１１が対向するように設けられている。筐体１０内部は、横長直方体状の箱体が横方向に仕切られており、下方側に制御部５０の大部分が収納される。また、下方の外側面には電源スイッチとなるプッシュスイッチ１２が設けられる。筐体１０は、いくつかのパーツで成型され、組み立てられるものであるが、パーツの分解の仕方は任意であり、ここでは説明は省略する。
【００１１】
回転部２０は、ドラム状で外周面に、二筋の浅い断面Ｖ字状の溝２２が形成される。溝２２、２２は、Ｖ字状の線をドラム状の回転部２０の中心軸回りに回転させた回転面を形成する。また、溝２２、２２の間には、断面コの字状の溝が形成される。この断面コの字状の溝の底面が形成する回転面は伝動プーリー２１の外周面が形成されている。各Ｖ字状の溝２２は、回転部２０の下方側の２箇所において、図３に示すように筐体１０内部で回転可能に支持されたローラー２３、２３に嵌るように乗っており、これによって、回転部２０は回転面を形成する溝２２、２２の中心軸回りに回転可能に支持されることになる。ローラー２３は２箇所のそれぞれにおいて、各Ｖ字状の溝２２に嵌るように同軸上に２個設けられている。回転部２０の外径は、筐体１０に設けられる円形の穴１１の内径よりも大きく形成されており、回転部２０が筐体１０から抜けないようになっている。
また、回転部２０の円形面の一方に、円筒状の穴が回転部２０の中心軸からずれた位置に当該中心軸に平行に形成されるとともに、他方の円形面にも、円筒状の穴が、一方側の穴に対して中心軸を挟んで互い違いの位置となるように形成される。なお、各穴の底面には小径の穴が設けられ、さらに裏面から当該小径の穴に至る後述するベアリングが嵌る穴が形成されている。
【００１２】
指挿入筒３０は、有底の円筒体であり、回転部２０の円形面に設けられた穴に回動可能に嵌る程度の外径を有する。指挿入筒３０の開口側は拡径するように広がり、また、底面の外側中心に、中央にネジ穴が形成された小経の円筒部が設けられる。指挿入筒３０は回転部２０の円形面に設けられた穴に挿入され、底面の円筒部は挿入された穴の底面に設けられた小径の穴を通り、裏面側でベアリング３１が嵌められ、ネジとワッシャによりこのベアリング３１が固定される。これにより、指挿入筒３０は、長手方向に沿った回転軸周りに回転可能に固定されることとなる。指挿入筒３０は、回転部２０の円形の両面のそれぞれに、互いに逆に開口を向けて、回転部２０に互い違いに固定される。
【００１３】
回転駆動部４０は、回転部２０に設けられる伝動プーリー２１、筐体１０内の横方向の仕切り上に設けられるモーター４１、伝動プーリー２１に平行に設けられるモーター４１の出力軸に固定される駆動プーリー４２、伝動プーリー２１と駆動プーリー４２の間に懸架されるタイミングベルト４３とから構成される。このような構成により、回転部２０はタイミングベルト４３により下方に向かう力を加えられた状態で回転する一方、ローラー２３、２３により下方から支持されるので、回転部２０はタイミングベルト４３とローラー２３、２３により上下で狭持され、安定した状態で回転することができる。
【００１４】
制御部５０は、図示しないＣＰＵ、ＲＡＭ、ＲＯＭ、クロックなどからなるマイコンと、電源を供給する電池ボックス、モーター４１に設けられる図示しないロータリーエンコーダー、筐体１０外部に設けられるプッシュスイッチ１２により構成される。マイコンのＲＯＭ内にはモーターの動作を制御するプログラムが記録されており、ロータリーエンコーダーに基づく信号をカウントして、回転部２０の回転数を計算し所定の動作を行わせる。具体的には、プッシュスイッチ１２を押下すると、数秒後に回転部２０を一方の方向に数回回転させ、その後逆方向に同じだけ回転させ、数秒間停止する。この動作を合計４回繰り返した後、電源が切断される。
【００１５】
次に、以上のような構成を有する指回し運動補助器Ｘの使用方法について説明する。使用者Ｐは、図４に示すように、仰向けに寝て回転部２０側が足先に向くように腹部に運動補助器Ｘを置く。この状態で、肘が床面に接触するように位置を調節して、両手の親指の腹を筐体１０の底面に当て、残りの指の腹を筐体１０の横長直方体の箱体の上面に当てて軽く持つようにする。即ち、筐体１０の横長直方体状の箱体の上面及び下面は、指を掛ける把手１３を形成する。この状態から、例えば、両手の人差し指を各指挿入筒３０に挿入し、プッシュスイッチ１２を親指で押して動作を開始する。この際、指および腕の力は抜いて、リラックスした状態にしておく。プッシュスイッチ１２が押されるとプログラムによって、一方向に数回、逆方向に数回、回転部２０が回転する。これにより、人指し指の指回し運動が受動的に行われる。その後、一定時間回転が停止するので、この間に指を例えば中指に代えて、同様の動作を行わせる。人差し指から小指のすべてについて回転が終了すると自動的に電源が切れ、動作が完了する。
このように、一度プッシュスイッチ１２を押すと、後は力を抜いてリラックスした状態でも、指回し補助器Ｘにより自動的に指回し運動が行え、また、所定数の回転と回転方向の切り替えがプログラムにより自動的に行われるので、回転数を数える必要が無く、精神的にもリラックスした状態で指回し運動を実現することができる。
【００１６】
なお、上記実施形態では、回転部２０は下方のローラー２３、２３と上方のタイミングベルト４３に狭持されることで位置が安定するように構成されているが、歯車で下方から回転部２０を回転させるような場合は、ローラーを上方の２箇所に設けることで上下で狭持し位置を安定するようにすることができる。
また、上記実施形態では、プログラムによって回転部２０の回転動作を制御しているが、モーター４１の正反転動作を行うスイッチや、回転部２０の回転速度を変更する速度調節スイッチなどを設け、プログラムとは別に、若しくは、プログラムの途中で使用者が適宜動作指示を入力できるようにしてもよい。
【符号の説明】
【００１７】
Ｘ  指回し運動補助器
１０  筐体
１２  プッシュスイッチ
１３  把
２０  回転部 
２１  伝動プーリー
２２  溝
２３  ローラー
３０  指挿入筒
４０  回転駆動部
４１  モーター
４２  駆動プーリー
４３  タイミングベルト
５０  制御部
【図１】
2013017677.tif 000003
【図２】
2013017677.tif 000004
【図３】
2013017677.tif 000005
【図４】
2013017677.tif 000006
【手続補正書】
【提出日】平成23年11月2日(2011.11.2)
【手続補正１】
【補正対象書類名】特許請求の範囲
【補正対象項目名】請求項１
【補正方法】変更
【補正の内容】
【請求項１】
筐体と、
回転面を外周に有する回転部であって、前記回転面の中心軸回りに回動可能に、前記回転面が前記筐体に保持される回転部と、
前記中心軸に平行に前記回転部に固定される筒体であって、少なくとも前記中心軸に沿った一方側に開口を有する筒体からなる第一指挿入筒と、
前記第一指挿入筒の前記中心軸を挟んだ反対側において、前記中心軸に平行に前記回転部に固定される筒体であって、少なくとも前記中心軸に沿った他方側に開口を有する第二指挿入筒と、
前記回転部を回転させる前記筐体に設けられる回転駆動手段であって、回転制御可能なモーターにより駆動され、前記回転部が予め定められた回転数と回転方向に回転するように、前記モーターをプログラム制御する制御手段を有する回転駆動手段と
を有する指回し運動補助器。
【手続補正２】
【補正対象書類名】特許請求の範囲
【補正対象項目名】請求項２
【補正方法】変更
【補正の内容】
【請求項２】
前記制御手段は、２以上の指に対して連続して予め定められた回転数と回転方向に回転するようにプログラム制御するものであって、一の指に対する回転が終了した後、次の指に対する回転を開始する前に、所定時間だけ回転を停止するように制御するものである請求項１に記載の指回し運動補助器。
【手続補正３】
【補正対象書類名】明細書
【補正対象項目名】０００５
【補正方法】変更
【補正の内容】
【０００５】
上記課題を解決するために、本発明は次のような構成を有する。
請求項１に記載の発明は、筐体と、回転面を外周に有する回転部であって、前記回転面の中心軸回りに回動可能に、前記回転面が前記筐体に保持される回転部と、前記中心軸に平行に前記回転部に固定される筒体であって、少なくとも前記中心軸に沿ったの一方側に開口を有する筒体からなる第一指挿入筒と、前記第一指挿入筒の前記中心軸を挟んだ反対側において、前記中心軸に平行に前記回転部に固定される筒体であって、少なくとも前記回転軸に沿った他方側に開口を有する第二指挿入筒と、前記回転部を回転させる前記筐体に設けられる回転駆動手段であって、回転制御可能なモーターにより駆動されるものであり、前記回転部が予め定められた回転数と回転方向に回転するように、前記モーターをプログラム制御する制御手段を有する回転駆動手段とを有する指回し運動補助器である。
請求項２に記載の発明は、前記指回し運動補助器において、  前記制御手段は、２以上の指に対して連続して予め定められた回転数と回転方向に回転するようにプログラム制御するものであって、一の指に対する回転が終了した後、次の指に対する回転を開始する前に、所定時間だけ回転を停止するように制御するものである。
請求項３に記載の発明は、前記指回し運動補助器において、前記第一指挿入筒及び前記第二指挿入筒は長手方向に沿った回転軸周りに回動可能に前記回転部に固定されるものである。
【手続補正４】
【補正対象書類名】明細書
【補正対象項目名】０００７
【補正方法】変更
【補正の内容】
【０００７】
以上のような構成により、本発明は次のような効果を奏する。
請求項１、２に記載の発明は、第一指挿入筒に一方の手の一の指を入れ、第二挿入筒に他方の手の相対する指を入れ、回転部を回転させることで互いの指をずれた状態で自動的に回転させることができるので、指に力を入れることなくリラックスした状態での指回し運動が可能となる。
また、指の回転が予め定められたプログラムによりなされるので、指を回す回数や方向を決めている場合、自ら数える場合に比較して、精神的な面でもリラックスした状態で指回し運動を行うことができる。
請求項３に記載の発明は、第一挿入筒、第二挿入筒が回動可能に固定されることで、指を入れた状態で回転部を回しても第一挿入筒、第二挿入筒は同じ姿勢を保つので第一挿入筒内壁及び第二挿入筒内壁に挿入した指が擦れて気になるといったことがない。
請求項４に記載の発明は、親指と回転させる指以外の指で持つことができる把手を有することで、回転させていない指の位置を安定させることができる。
請求項５に記載の発明は、回転部の回転方向を変えることができるので、使用者は適宜思い通りに指の回転方向を変えることが可能となる。
請求項６に記載の発明は、回転部の回転速度を変えることができるので、使用者は好みの回転速度で、指を回転させることができる。
【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
筐体と、
回転面を外周に有する回転部であって、前記回転面の中心軸回りに回動可能に、前記回転面が前記筐体に保持される回転部と、
前記中心軸に平行に前記回転部に固定される筒体であって、少なくとも前記中心軸に沿った一方側に開口を有する筒体からなる第一指挿入筒と、
前記第一指挿入筒の前記中心軸を挟んだ反対側において、前記中心軸に平行に前記回転部に固定される筒体であって、少なくとも前記中心軸に沿った他方側に開口を有する第二指挿入筒と、
前記回転部を回転させる、前記筐体に設けられる回転制御可能なモーターにより駆動さ回転駆動手段であって、２以上の指のそれぞれに対して少なくとも正転と反転とをそれぞれ１回以上含む回転パタンで前記モーターが回転するように前記モーターをプログラム制御するとともに、１の指に対する回転が終了した後、次の指に対する回転を開始する前に、所定時間だけ回転を停止するようにプログラム制御する制御手段を有する回転駆動手段と
を有する指回し運動補助器。
【請求項２】
前記第一指挿入筒及び前記第二挿入筒は長手方向に沿った回転軸周りに回動可能に前記回転部に固定される請求項１に記載の指回し運動補助器。
【請求項３】
前記第一指挿入筒と前記第二指挿入筒のそれぞれに左右の親指以外のいずれかの指を挿入した状態において、左右の手のそれぞれに対して、親指と挿入していない親指以外の指とで把持できる把手が前記筐体に設けられる請求項１又は２に記載の指回し運動補助器。
【請求項４】
前記回転駆動手段は回転制御可能なモーターにより駆動されるものであって、さらに、前記モーターの正転及び反転を切り替える切り替えスイッチが前記筐体に設けられる請求項１から３のいずれか１項に記載の指回し運動補助器。
【請求項５】
前記回転駆動手段は回転制御可能なモーターにより駆動されるものであって、さらに、前記モーター出力軸の回転速度を変更する速度調節スイッチが前記筐体に設けられる請求項１から４のいずれか１項に記載の指回し運動補助器。
【手続補正２】
【補正対象書類名】明細書
【補正対象項目名】０００５
【補正方法】変更
【補正の内容】
【０００５】
上記課題を解決するために、本発明は次のような構成を有する。
請求項１に記載の発明は、筐体と、回転面を外周に有する回転部であって、前記回転面の中心軸回りに回動可能に、前記回転面が前記筐体に保持される回転部と、前記中心軸に平行に前記回転部に固定される筒体であって、少なくとも前記中心軸に沿ったの一方側に開口を有する筒体からなる第一指挿入筒と、前記第一指挿入筒の前記中心軸を挟んだ反対側において、前記中心軸に平行に前記回転部に固定される筒体であって、少なくとも前記回転軸に沿った他方側に開口を有する第二指挿入筒と、前記回転部を回転させる前記筐体に設けられる回転駆動手段であって、回転制御可能なモーターにより駆動されるものであり、２以上の指のそれぞれに対して少なくとも正転と反転とをそれぞれ１以上含む回転パタンで前記モーターが回転するように前記モーターをプログラム制御するとともに、１の指に対する回転が終了した後、次の指に対する回転を開始する前に、所定時間だけ回転を停止するようにプログラム制御する制御手段を有する回転駆動手段とを有する指回し運動補助器である。
請求項２に記載の発明は、前記指回し運動補助器において、前記第一指挿入筒及び前記第二指挿入筒は長手方向に沿った回転軸周りに回動可能に前記回転部に固定されるものである。
【手続補正３】
【補正対象書類名】明細書
【補正対象項目名】０００６
【補正方法】変更
【補正の内容】
【０００６】
請求項３に記載の発明は、前記指回し運動補助器において、前記第一指挿入筒と前記第二指挿入筒のそれぞれに左右の親指以外のいずれかの指を挿入した状態において、左右の手のそれぞれに対して、親指と挿入していない親指以外の指とで把持できる把手が前記筐体に設けられるものである。
請求項４に記載の発明は、前記指回し運動補助器において、前記回転駆動手段は回転制御可能なモーターにより駆動されるものであって、さらに、前記モーターの正転及び反転を切り替える切り替えスイッチが前記筐体に設けられるものである。
請求項５に記載の発明は、前記指回し補助器において、前記回転駆動手段は回転制御可能なモーターにより駆動されるものであって、さらに、前記モーター出力軸の回転速度を変更する速度調節スイッチが前記筐体に設けられるものである。なお、モーターの回転制御は電気的にモーターの回転を制御するほか、変速機により回転数を制御する場合が含まれる。
【手続補正４】
【補正対象書類名】明細書
【補正対象項目名】０００７
【補正方法】変更
【補正の内容】
【０００７】
以上のような構成により、本発明は次のような効果を奏する。
請求項１に記載の発明は、第一指挿入筒に一方の手の一の指を入れ、第二挿入筒に他方の手の相対する指を入れ、回転部を回転させることで互いの指をずれた状態で自動的に回転させることができるので、指に力を入れることなくリラックスした状態での指回し運動が可能となる。
また、指の回転が予め定められたプログラムによりなされるので、指を回す回数や方向を決めている場合、自ら数える場合に比較して、精神的な面でもリラックスした状態で指回し運動を行うことができる。
請求項２に記載の発明は、第一挿入筒、第二挿入筒が回動可能に固定されることで、指を入れた状態で回転部を回しても第一挿入筒、第二挿入筒は同じ姿勢を保つので第一挿入筒内壁及び第二挿入筒内壁に挿入した指が擦れて気になるといったことがない。
請求項３に記載の発明は、親指と回転させる指以外の指で持つことができる把手を有することで、回転させていない指の位置を安定させることができる。
請求項４に記載の発明は、回転部の回転方向を変えることができるので、使用者は適宜思い通りに指の回転方向を変えることが可能となる。
請求項５に記載の発明は、回転部の回転速度を変えることができるので、使用者は好みの回転速度で、指を回転させることができる。